(57)【要約】【課題】容器を倒れないように固定する容器ホルダーを提供する。【解決手段】底面板の両縁に繋がって設けられた第一斜側壁と第二斜側壁のそれぞれ両縁に斜折線を隔て補助面板を繋げて設け、補助面板の両縁にはそれぞれ内フラップと押側壁を繋げて設け、押側壁の平行方向に所定間隔を隔て側壁を繋げて設け、第一斜側壁の上縁には上面板を繋げて設け、各折線に沿って折り曲げると側壁、押側壁が起立し挿入口が形成され、挿入口より容器を入れると押側壁が両サイドに開き、補助面板の反発により容器を固定することができる。【選択図】図１
2006036234.tif 000002
【特許請求の範囲】
【請求項１】
底面板の両縁に繋がって設けられた第一斜側壁と第二斜側壁のそれぞれ両縁に斜折線を隔て補助面板を繋げて設け、前記補助面板の両縁にはそれぞれ内フラップと押側壁を繋げて設け、前記押側壁の平行方向に所定間隔を隔て側壁を繋げて設け、前記第一斜側壁の上縁には上面板を繋げて設け、各折線に沿って折り曲げると側壁、押側壁が起立し挿入口が形成され、前記挿入口より容器を入れると押側壁が両サイドに開き、補助面板の反発により容器を固定することができることを特徴とする容器ホルダー。
【請求項２】
前記押側壁の上縁と前記側壁の上縁に段差を設け、前記底面板の中央に開口を設け、前記斜折線に段積突起を設けることで、交互に積み重ねたときに、前記開口の縁に設けた段積突起が前記斜折線に設けた段積突起に掛かるようにしたことを特徴とする請求項１に記載の容器ホルダー。
【発明の詳細な説明】
【技術分野】
【０００１】
この発明は、紙コップや缶などの容器を倒れないように固定する容器ホルダーに関するものである。
【背景技術】
【０００２】
従来、ジュースなどを店頭で買って家などに持ち帰るとき、平面に円形の開口を設けた容器ホルダーを使用している（例えば、特許文献１参照）。また、パルプモールドなどの成型品を使用している（例えば、特許文献２参照）。
【０００３】
しかしながら上記のような平面に円形の開口を設けた形態では糊貼りの工程が必要となりコストアップの要因になっている。
【０００４】
また、平面に容器の大きさに合わせた円形の開口を設けるとき、大きいサイズの容器と小さいサイズの容器それぞれに合わせたホルダーを作成しなければならないので在庫管理が手間である。
【０００５】
そして、パルプモールドは成型品のために保管スペースを大幅に必要とするなどの問題点があり廃棄する場合も同様にかさばる。
【特許文献１】特願２００２−０９４９８９号公報
【特許文献２】特開２００４−１０６９３５号公報
【発明の開示】
【発明が解決しようとする課題】
【０００６】
そこで、この発明は、糊貼りを必要とせず、紙またはフィルムシートなどの折り曲げ可能な一枚のブランクシートを折り曲げることにより、簡単に素早く組み立てができて且つ、サイズの異なった容器であっても一種類のホルダーで固定することができる容器ホルダーを提供する事を課題とする。
【課題を解決するための手段】
【０００７】
以上の課題を解決するために、この発明は、底面板の両縁に繋がって設けられた第一斜側壁と第二斜側壁のそれぞれ両縁に斜折線を隔て補助面板を繋げて設け、前記補助面板の両縁にはそれぞれ内フラップと押側壁を繋げて設け、前記押側壁の平行方向に所定間隔を隔て側壁を繋げて設け、前記第一斜側壁の上縁には上面板を繋げて設け、各折線に沿って折り曲げると側壁、押側壁が起立し挿入口が形成され、前記挿入口より容器を挿入すると押側壁が両サイドに開き、補助面板の反発により容器を固定することができるようにしたのである。
【０００８】
このような容器ホルダーであれば、展開した状態で保管し、使用するときは簡単に組み立てることが可能で、前記補助面板の反発により、容器の挿入口を調整する機能があるため、サイズの異なった容器でも固定することが可能である。
【０００９】
また、前記押側壁の上縁と側壁の上縁に段差を設けることで容器が挿入しやすくなる。
【００１０】
そして、前記底面板の中央に開口を設け、前記斜折線に段積突起を設けることで、交互に積み重ねたときに、前期開口の縁に設けた段積突起が前記斜折線に設けた段積突起に掛かるようにしたことで組み立てた状態でも段積み保管できるようにしてある。
【発明の効果】
【００１１】
この発明によれば、紙またはフィルムシートなどの折り曲げ可能な一枚のブランクシートを折り曲げることで簡単に素早く形成することができ、補助面板の効果により挿入口を調節し、サイズの異なった容器を挿入しても固定することが可能であり、廃棄する場合も簡単に分解できるためにかさばらない。
【００１２】
また、交互に段積みすることが可能なので組み立てた状態でも保管出来、作業性が良くスペースも有効利用できる。
【発明を実施するための最良の形態】
【００１３】
図１は、この発明に係る容器ホルダーの展開図であり、紙またはフィルムシートなどの折り曲げ可能な一枚のブランクシートを各折線で折り曲げることにより、サイズの異なる紙カップや缶などの容器７０を固定できる容器ホルダー６０が形成される。
【００１４】
容器ホルダー６０は、底面板１の各両縁に第一斜側壁２、第二斜側壁３を繋げて設け、前記第一斜側壁２の両縁には斜折線ｍを隔て、補助面板４を繋げて設け、前記補助面板４の両縁にはそれぞれ内フラップ５と押側壁６を繋げて設け、前記押側壁６の平行方向に所定間隔を隔て側壁７を繋げて設け、第一斜側壁２の上縁に上面板８を繋げて設け、前記上面板８の先端には差込片１０を繋げて設け、前記第二斜側壁３の上縁には、内面板９を繋げて設けている。
【００１５】
また、底面板１の中央には開口１２を設け、斜折線ｍには底面板１中央から外側に向けてコの字切込の段積突起１３を設け、前記底面板１と側壁７の間にはアーチ状切込１５を設け、前記アーチ状切込１５は折線fまで延びている。
【００１６】
そして、押側壁６の長さは側壁７の中央より高くしておき、上面板８の両縁には中央に向けて斜めにカットしておく。
【００１７】
このような展開図からなる容器ホルダー６０を図２に示すように、第一斜側壁２、第二斜側壁３、内面板９、上面板８、差込片１０を折線a、b、c、dで折り曲げ、差込片１０を差込口１１に差し込み固定する。
【００１８】
次いで、図３に示すように補助面板４を斜折線ｍに沿って内側に折り曲げることで、側壁７の下縁がアーチ状切込１５の縁に干渉することで、同時に折線f、gが折れ曲がる。
【００１９】
そして、上記よりさらに補助面板４を内側に押し込むと、内フラップ５が上面板８両縁の斜めにカットした部分に干渉し、折線eより外側に折れ曲がることで内側に入ることができる。内フラップ５が内側に入ると折線eの反発で元に戻り、上面板８に引っかかることで斜折線mの反発による補助面板４の戻りを抑制でき、図４に示すような状態となり、挿入口５０が形成される。
【００２０】
上記のように形成された容器ホルダー６０に容器７０を挿入する際に、図６に示すように側壁７の上縁に容器７０の底面部を掛け、中央にスライドさせることで、容器７０の側面が押側壁６に干渉し、外側に開くと同時に、側壁７が垂直に立ち上がることで、容器７０を挿入することができ、容器７０を挿入すると斜折線mより補助面板４が反発して、押側壁６が容器７０の大きさに応じて開き、挿入口５０の大きさを調整することができる。
【００２１】
また、上記のように容器ホルダー６０を組み立て、容器７０を挿入する前の状態で保管する場合、底面板１の中央に設けた開口１２の縁の段積突起１４が斜折線ｍに設けた段積突起１３に掛かることにより、図６に示すように交互に積み重ねすることができる。
【図面の簡単な説明】
【００２２】
【図１】容器ホルダーの展開図である。
【図２】差込片を差込口に差し込んだ状態の斜視構成図である。
【図３】補助面板を内側に折り曲げた状態の斜視構成図である。
【図４】内フラップが内側に入り込んだ状態の斜視構成図である。
【図５】容器を挿入する過程を示す構成図である。
【図６】容器ホルダーを積み重ねた状態の斜視構成図である。
【符号の説明】
【００２３】
１  底面板
２  第一斜側壁
３  第二斜側壁
４  補助面板
５  内フラップ
６  押側壁
７  側壁
８  上面板
９  内面板
１０  差込片
１１  差込口
１２  開口
１３、１４  段積突起
１５  アーチ状切込
５０  挿入口
６０  容器ホルダー
７０  容器
a、b、c、d、e、f、g、h  折線
m  斜折線
【図１】
2006036234.tif 000003
【図２】
2006036234.tif 000004
【図３】
2006036234.tif 000005
【図４】
2006036234.tif 000006
【図５】
2006036234.tif 000007
【図６】
2006036234.tif 000008